(57)【要約】  下部コネクタに結合された上部コネクタと、上部コネクタと下部コネクタとの間に挟まれたガセットプレートと、有する、コネクタアセンブリ。上部コネクタおよび下部コネクタは、それぞれ、隣接する上部コネクタおよび下部コネクタに結合することを可能にし、モジュール式ユニットを既存のモジュール式構造物に追加することを可能にする。また、モジュール式ユニットを既存のモジュール式構造物に結合させるときに、隣接する上部コネクタを結合させる方法、および隣接する下部コネクタを結合させる方法も開示される。
2020505537.tif 000002
【特許請求の範囲】
【請求項１】
コネクタアセンブリであって、下部コネクタに結合された上部コネクタと、前記上部および下部コネクタの間に挟まれたガセットプレートと、を備え、
前記下部コネクタが、
下部コネクタ本体カラム受容端部と、下部コネクタ本体ガセット接触端部と、を有する、下部コネクタ本体であって、前記カラム受容端部が、第１のモジュールフレームの第１の端部を受容するように適合され、前記ガセット接触端部が、前記ガセットプレートに結合するように適合される、下部コネクタ本体と、
少なくとも一対の下部コネクタアームであって、各下部コネクタアームが、前記下部コネクタ本体に結合され、前記下部コネクタ本体から延在し、かつ下部コネクタアーム内面と、下部コネクタアーム外面と、下部コネクタアームガセット接触面と、下部コネクタアーム荷重支持面と、下部コネクタアームビーム接触面と、を有し、前記ビーム接触面が、前記下部コネクタ本体から遠位に位置付けられており、各下部コネクタアームが、前記下部コネクタを前記上部コネクタに結合させるための締結手段を受容するための、前記荷重支持面上の少なくとも１つの固定開口を有し、各下部コネクタアームが、前記下部コネクタアーム内面から前記下部コネクタアーム外面まで延在するように形成された孔を有する、少なくとも一対の下部コネクタアームと、
各アームの前記ビーム接触面に結合され、かつ各アームの前記ビーム接触面から延在する下部コネクタアームボスであって、前記ボスが、前記アームの遠位端部から延在する下部コネクタアーム溶接部受容斜面を有する、下部コネクタアームボスと、を備え、
前記上部コネクタが、
上部コネクタ本体カラム受容端部と、上部コネクタ本体ガセット接触端部と、を有する、上部コネクタ本体であって、前記カラム受容端部が、第２のモジュールフレームの第１の端部を受容するように適合され、前記ガセット接触端部が、前記ガセットプレートに結合するように適合される、上部コネクタ本体と、
少なくとも一対の上部コネクタアームであって、各上部コネクタアームが、前記上部コネクタ本体に結合され、前記上部コネクタ本体から延在し、かつ上部コネクタアーム内面と、上部コネクタアーム外面と、上部コネクタアームガセット接触面と、上部コネクタアーム荷重支持面と、上部コネクタアームビーム接触面と、を有し、前記ビーム接触面が、前記上部コネクタ本体から遠位に位置付けられており、各上部コネクタアームが、前記下部コネクタを前記上部コネクタに結合させるための固定手段を受容するための少なくとも１つの上部コネクタアーム固定開口と、前記上部コネクタを前記ガセットプレートに結合させるための第２の締結手段を受容するための少なくとも１つの上部コネクタアームガセット結合開口と、を有し、各上部コネクタアームが、前記上部コネクタアーム内面から前記上部コネクタアーム外面まで延在するように形成された孔を有する、少なくとも一対の上部コネクタアームと、
各上部コネクタアームの前記上部コネクタアームビーム接触面に結合され、かつ各上部コネクタアームの前記上部コネクタアームビーム接触面から延在する上部コネクタアームボスであって、前記ボスが、前記アームの遠位端部から延在する上部コネクタアーム溶接部受容斜面を有する、上部コネクタアームボスと、を備え、
前記ガセットプレートが、
ガセットプレートの第１の面と、ガセットプレートの第２の面と、前記上部コネクタおよび前記下部コネクタを結合させるための前記結合および締結手段を受容するためのガセットプレート貫通孔と、を備える、コネクタアセンブリ。
【請求項２】
前記第２の下部コネクタと前記第２の上部コネクタとの間に位置付けられている前記ガセットプレートと、共に、前記下部コネクタに結合された第２の下部コネクタと、第２の上部コネクタと、をさらに備え、
前記第２の下部コネクタが、
第２の下部コネクタ本体カラム受容端部と、第２の下部コネクタ本体ガセット接触端部と、を有する、第２の下部コネクタ本体であって、前記第２の下部コネクタ本体カラム受容端部が、第３のモジュールフレームの第１の端部を受容するように適合され、前記第２の下部コネクタ本体ガセット接触端部が、前記ガセットプレートに結合するように適合された、第２の下部コネクタ本体と、
少なくとも一対の第２の下部コネクタアームであって、各第２の下部コネクタアームが、前記第２の下部コネクタ本体に結合され、前記第２の下部コネクタ本体から延在し、かつ第２の下部コネクタアーム内面と、第２の下部コネクタアーム外面と、第２の下部コネクタアームガセット接触面と、第２の下部コネクタアーム荷重支持面と、第２の下部コネクタアームビーム接触面と、を有し、前記第２の下部コネクタアームビーム接触面が、前記下部コネクタ本体から遠位に位置付けられており、各第２の上部コネクタアームが、前記第２の下部コネクタを前記第２の上部コネクタに結合させるための固定手段を受容するための、前記第２の下部コネクタアーム荷重支持面の少なくとも１つの固定開口を有し、各第２の上部コネクタアームが、前記第２の下部コネクタアーム内面から前記第２の下部コネクタアーム外面まで延在するように形成された孔を有する、少なくとも一対の第２の下部コネクタアームと、
各アームの前記第２の下部コネクタアームビーム接触面に結合され、かつ各アームの前記第２の下部コネクタアームビーム接触面から延在する、第２の下部コネクタアームボスであって、前記アームの前記遠位端部から延在する第２の下部コネクタアーム溶接部受容斜面を有する、第２の下部コネクタアームボスと、を備え、
前記第２の上部コネクタが、
第２の上部コネクタ本体カラム受容端部と、第２の上部コネクタ本体ガセット接触端部と、を有する、第２の上部コネクタ本体であって、前記第２の上部コネクタカラムが、第４のモジュールフレームの第１の端部を受容するように適合され、前記第２の上部コネクタガセット接点端部が、前記ガセットプレートに結合するように適合される、第２の上部コネクタ本体と、
少なくとも一対の第２の上部コネクタアームであって、各第２の上部コネクタアームが、前記第２の上部コネクタ本体に結合され、前記第２の上部コネクタ本体から延在し、かつ第２の上部コネクタアーム内面と、第２の上部コネクタアーム外面と、第２の上部コネクタアームガセット接触面と、第２の上部コネクタアーム荷重支持面と、第２の上部コネクタアームビーム接触面と、を有し、前記第２の上部コネクタアームビーム接触面が、前記第２の上部コネクタ本体から遠位に位置付けられており、各第２の上部コネクタアームが、前記第２の下部コネクタを前記第２の上部コネクタに結合させるための締結手段を受容するための少なくとも１つの第２の上部コネクタアーム固定開口と、前記第２の上部コネクタを前記ガセットプレートに結合させるための第２の締結手段を受容するための少なくとも１つの第２の上部コネクタアームガセット結合開口と、を有し、各第２の上部コネクタアームが、前記第２の上部コネクタアーム内面から前記第２の上部コネクタアーム外面まで延在するように形成された孔を有する、少なくとも一対の第２の上部コネクタアームと、
各上部コネクタアームの第２の上部コネクタアームビーム接触面に結合され、かつ各上部コネクタアームの第２の上部コネクタアームビーム接触面から延在する、第２の上部コネクタアームボスであって、前記第２の上部コネクタアームボスが、前記第２の上部コネクタアームの前記遠位端部から延在する第２の上部コネクタアーム溶接部受容斜面有する、第２の上部コネクタアームボスと、を備え、
前記第２の下部コネクタアーム外面が、前記下部コネクタアーム外面に近接しており、前記第２の上部コネクタアーム外面が、前記上部コネクタアーム外面に近接しており、前記第２の下部コネクタアームガセット接触面が、前記第２の上部コネクタアーム荷重支持面に近接している、請求項１に記載のコネクタアセンブリ。
【請求項３】
締結手段が、前記下部コネクタアーム内面の前記孔および前記第２の下部コネクタアーム内面に係合し、かつ前記下部コネクタアームを前記第２の下部コネクタアームに結合させる、請求項２に記載のコネクタアセンブリ。
【請求項４】
第２の締結手段が、前記上部コネクタアーム内面の前記孔および前記第２の上部コネクタアーム内面に係合し、かつ前記上部コネクタアームを前記第２の上部コネクタアームに結合させる、請求項２または３に記載のコネクタアセンブリ。
【請求項５】
前記下部コネクタアーム荷重支持面および前記第２の下部コネクタアーム荷重支持面に位置付けられた第２のガセットプレートであって、
前記第２のガセットプレートが、複数の開口を有し、前記下部コネクタアーム荷重支持面が、前記第２のガセットプレートの前記複数の開口のうちの１つと整列された孔を有し、前記第２の下部コネクタアーム荷重支持面が、前記複数の開口のうちの他の１つと整列された孔を有する、第２のガセットプレートと、
前記第２のガセットプレートの前記開口に係合する締結手段であって、前記開口が、前記第２のガセットプレートを前記下部コネクタに固定するために、前記下部コネクタ荷重支持面の前記孔と整列される、締結手段と、
前記第２のガセットプレートの前記複数の開口の別の開口に係合する第２の締結手段であって、前記他の開口が、前記第２のガセットプレートを前記第２の下部コネクタに固定するために、前記第２の下部コネクタアーム荷重支持面の前記孔と整列される、第２の締結手段と、をさらに備える、請求項２〜４のいずれか一項に記載のコネクタアセンブリ。
【請求項６】
前記第２のガセットプレートに結合され、かつ前記第２のガセットプレートから延在する突出部をさらに備え、前記突出部が、前記下部コネクタアーム荷重支持面から離れる方向に延在する、請求項５に記載のコネクタアセンブリ。
【請求項７】
前記突出部に結合された筋交いをさらに備える、請求項６に記載のコネクタアセンブリ。
【請求項８】
下部コネクタであって、
下部コネクタ本体カラム受容端部と、下部コネクタ本体ガセット接触端部と、を有する、下部コネクタ本体であって、前記カラム受容端部が、第１のモジュールフレームの第１の端部を受容するように適合され、前記ガセット接触端部が、前記ガセットプレートに結合するように適合される、下部コネクタ本体と、
少なくとも一対の下部コネクタアームであって、各下部コネクタアームが、前記下部コネクタ本体に結合され、前記下部コネクタ本体から延在し、かつ下部コネクタアーム内面と、下部コネクタアーム外面と、下部コネクタアームガセット接触面と、下部コネクタアーム荷重支持面と、下部コネクタアームビーム接触面と、を有し、前記ビーム接触面が、前記下部コネクタ本体から遠位に位置付けられており、各下部コネクタアームが、前記下部コネクタを前記上部コネクタに結合するための締結手段を受容するための、前記荷重支持面上の少なくとも１つの固定開口を有し、各下部コネクタアームが、前記下部コネクタアーム内面から前記下部コネクタアーム外面まで延在するように形成された孔を有する、少なくとも一対の下部コネクタアームと、
各アームの前記ビーム接触面に結合され、かつ前記 各アームの前記ビーム接触面から延在する、下部コネクタアームボスであって、前記ボスが、前記アームの遠位端部から延在する下部コネクタアーム溶接部受容斜面を有する、下部コネクタアームボスと、を備える、下部コネクタ。
【請求項９】
上部コネクタ本体カラム受容端部と、上部コネクタ本体ガセット接触端部と、を有する上部コネクタ本体であって、前記カラム受容端部が、第２のモジュールフレームの第１の端部を受容するように適合され、前記ガセット接触端部が、前記ガセットプレートに結合するように適合される、上部コネクタ本体と、
少なくとも一対の上部コネクタアームであって、各上部コネクタアームが、前記上部コネクタ本体に結合され、前記上部コネクタ本体から延在し、かつ上部コネクタアーム内面と、上部コネクタアーム外面と、上部コネクタアームガセット接触面と、上部コネクタアーム荷重支持面と、上部コネクタアームビーム接触面と、を有し、前記ビーム接触面が、前記上部コネクタ本体から遠位に位置付けられており、各上部コネクタアームが、前記下部コネクタを前記上部コネクタに結合するための固定手段を受容するための少なくとも１つの上部コネクタアーム固定開口と、前記上部コネクタを前記ガセットプレートに結合するための第２の締結手段を受容するための少なくとも１つの上部コネクタアームガセット結合開口と、を有し、各上部コネクタアームが、前記上部コネクタアーム内面から前記上部コネクタアーム外面まで延在するように形成された孔を有する、少なくとも一対の上部コネクタアームと、
各上部コネクタアームの前記上部コネクタアームビーム接触面に結合され、かつ前記上部コネクタアームビーム接触面から延在する、上部コネクタアームボスであって、前記ボスが、前記アームの遠位端部から延在する上部コネクタアーム溶接部受容斜面を有する、上部コネクタアームボスと、を備える、上部コネクタ。
【請求項１０】
下部コネクタと、上部コネクタと、ガセットプレートと、第２の下部コネクタと、第２の上部コネクタと、を有する、コネクタアセンブリを形成する方法であって、前記下部コネクタ、前記上部コネクタ、前記ガセットプレート、前記第２の下部コネクタ、および前記第２の上部コネクタが、請求項１〜９のいずれか一項に定義されるとおりであり、前記方法が、
前記下部コネクタ、前記上部コネクタ、前記ガセットプレート、前記第２の下部コネクタ、および前記第２の上部コネクタを位置付けるステップと、
前記下部コネクタを前記上部コネクタに結合させるステップと、
前記第２の下部コネクタを前記第２の上部コネクタに結合させるステップと、
前記下部コネクタを前記第２の下部コネクタに結合させるステップと、
前記上部コネクタを前記第２の上部コネクタに結合させるステップと、を含む、方法。
【請求項１１】
隣接するモジュール式建物を結合する方法であって、前記モジュール式建物が、共に、下部コネクタと、上部コネクタと、ガセットプレートと、第２の下部コネクタと、第２の上部コネクタと、を有し、前記下部コネクタ、前記上部コネクタ、前記ガセットプレート、前記第２の下部コネクタ、および前記第２の上部コネクタが、請求項１〜９のいずれか一項に定義されるとおりであり、前記方法が、
第１のモジュール式建物の第１のモジュール式ユニットを他方のモジュール式建物のモジュール式ユニットに隣接して位置付けるステップと、
前記第１のモジュール式建物の前記第１のモジュール式ユニットの前記下部コネクタを、前記他方の建物の前記モジュール式ユニットの前記第２の下部コネクタに結合させるステップと、
前記第１のモジュール式建物の前記第１のモジュール式ユニットの前記上部コネクタを、前記他方の建物の前記モジュール式ユニットの前記第２の上部コネクタに結合させるステップと、を含む、方法。
【請求項１２】
下部コネクタと、上部コネクタと、ガセットプレートと、第２の下部コネクタと、第２の上部コネクタと、を備える、モジュール式建物であって、前記下部コネクタ、前記上部コネクタ、前記ガセットプレート、前記第２の下部コネクタ、および前記第２の上部コネクタが、請求項１〜９のいずれか一項に定義されるとおりである、モジュール式建物。
【発明の詳細な説明】
【技術分野】
【０００１】
関連出願の相互参照
本出願は、２０１７年１月１９日に出願された米国仮特許出願第６２／４４８，１２３号、名称「ＭＯＤＵＬＡＲ  ＢＵＩＬＤＩＮＧ  ＣＯＮＮＥＣＴＯＲ」の利益およびそれに対する優先権を主張する。上記の特許出願の内容は、参照により本明細書の詳細な説明に明示的に組み込まれる。
【０００２】
本発明は、コネクタ、コネクタアセンブリ、コネクタアセンブリを有するモジュール式フレームユニットを結合させる方法、コネクタアセンブリを有するモジュール式ユニットを組み立てる方法、およびコネクタアセンブリを有する建物に関する。
【背景技術】
【０００３】
屋外建設現場で同様の作業を行うことと比較して、コストが低く、かつ得られる品質が高いため、制御された工場設定で、標準化された構成要素から構築されるモジュール式建物ユニットを予め製造することが望ましい場合がある。
【０００４】
したがって、床、壁、および頭上の構造物を有し、その内部に全てが予め据え付けられたシステムおよび室内備品を含む予め製造したモジュール式建物ユニットが好ましく、かつ当技術分野において周知である。２つ以上のモジュール式建物ユニットを一緒に接合して、より大きい構造物を形成するための手段および方法からなる建物アセンブリシステムもまた、当技術分野において周知である。
【０００５】
ＰＣＴ出願番号第ＰＣＴ／ＣＡ２０１４／０５０１１０号、同第ＰＣＴ／ＣＡ２０１５／０５０３６９号、同第ＰＣＴ／ＣＡ２０１６／０５０４３４号、および同第ＰＣＴ／ＣＡ２０１６／０５０９５４号（その内容は、参照により本明細書に組み込まれる）は、モジュール式ユニットおよび建物を製造するために使用することができるコネクタおよびコネクタアセンブリを開示している。
【０００６】
当技術分野では、予め製造したモジュール式ユニットを既存のモジュール式建物に結合させるために使用されるコネクタアセンブリに対する必要性が存在する。加えて、当技術分野では、上で説明したコネクタアセンブリを形成するために使用することができるコネクタブロックに対する必要性が存在する。さらに、当技術分野には、予め製造したモジュール式ユニットを既存のモジュール式建物に結合させて、モジュール式建物の設置面積を拡大する方法に対する必要性が存在する。
【先行技術文献】
【特許文献】
【０００７】
【特許文献１】国際出願第ＰＣＴ／ＣＡ２０１４／０５０１１０号
【特許文献２】国際出願第ＰＣＴ／ＣＡ２０１５／０５０３６９号
【特許文献３】国際出願第ＰＣＴ／ＣＡ２０１６／０５０４３４号
【特許文献４】国際出願第ＰＣＴ／ＣＡ２０１６／０５０９５４号
【発明の概要】
【０００８】
一態様において、本明細書は、下部コネクタに結合された上部コネクタと、上部コネクタと下部コネクタとの間に挟まれたガセットプレートと、を備える、コネクタアセンブリに関するものであり、
下部コネクタは、
下部コネクタ本体カラム受容端部と、下部コネクタ本体ガセット接触端部と、を有する、下部コネクタ本体であって、カラム受容端部が、第１のモジュールフレームの第１の端部を受容するように適合され、ガセット接触端部が、ガセットプレートに結合するように適合される、下部コネクタ本体と、
少なくとも一対の下部コネクタアームであって、各下部コネクタアームが、下部コネクタ本体に結合され、下部コネクタ本体から延在し、かつ下部コネクタアーム内面と、下部コネクタアーム外面と、下部コネクタアームガセット接触面と、下部コネクタアーム荷重支持面と、下部コネクタアームビーム接触面と、を有し、ビーム接触面が、下部コネクタ本体から遠位に位置付けられており、各下部コネクタアームが、下部コネクタを上部コネクタに結合させるための締結手段を受容するための、荷重支持面上の少なくとも１つの固定開口を有し、各下部コネクタアームが、下部コネクタアーム内面から下部コネクタアーム外面まで延在するように形成された孔を有する、少なくとも一対の下部コネクタアームと、
各アームのビーム接触面に結合され、かつ各アームのビーム接触面から延在する、下部コネクタアームボスであって、ボスが、アームの遠位端部から延在する下部コネクタアーム溶接部受容斜面を有する、下部コネクタアームボスと、を有し、
上部コネクタは、
上部コネクタ本体カラム受容端部と、上部コネクタ本体ガセット接触端部と、を有する、上部コネクタ本体であって、カラム受容端部が、第２のモジュールフレームの第１の端部を受容するように適合され、ガセット接触端部が、ガセットプレートに結合するように適合される、上部コネクタ本体と、
少なくとも一対の上部コネクタアームであって、各上部コネクタアームが、上部コネクタ本体に結合され、上部コネクタ本体から延在し、かつ上部コネクタアーム内面と、上部コネクタアーム外面と、上部コネクタアームガセット接触面と、上部コネクタアーム荷重支持面と、上部コネクタアームビーム接触面と、を有し、ビーム接触面が、上部コネクタ本体から遠位に位置付けられており、各上部コネクタアームが、下部コネクタを上部コネクタに結合させるための固定手段を受容するための少なくとも１つの上部コネクタアーム固定開口と、上部コネクタをガセットプレートに結合させるための第２の締結手段を受容するための少なくとも１つの上部コネクタアームガセット結合開口と、を有し、各上部コネクタアームが、上部コネクタアーム内面から上部コネクタアーム外面まで延在するように形成された孔を有する、少なくとも一対の上部コネクタアームと、
各上部コネクタアームの上部コネクタアームビーム接触面に結合され、かつ各上部コネクタアームの上部コネクタアームビーム接触面から延在する、上部コネクタアームボスであって、ボスが、アームの遠位端部から延在する上部コネクタアーム溶接部受容斜面を有する、上部コネクタアームボスと、を有し、
ガセットプレートは、
ガセットプレートの第１の面と、ガセットプレートの第２の面と、上部コネクタおよび下部コネクタを結合させるための結合および締結手段を受容するためのガセットプレート貫通孔と、を有する。
【０００９】
別の態様において、本明細書は、下部コネクタに関するものであり、該下部コネクタは、
下部コネクタ本体カラム受容端部と、下部コネクタ本体ガセット接触端部と、を有する、下部コネクタ本体であって、カラム受容端部が、第１のモジュールフレームの第１の端部を受容するように適合され、ガセット接触端部が、ガセットプレートに結合するように適合される、下部コネクタ本体と、
少なくとも一対の下部コネクタアームであって、各下部コネクタアームが、下部コネクタ本体に結合され、下部コネクタ本体から延在し、かつ下部コネクタアーム内面と、下部コネクタアーム外面と、下部コネクタアームガセット接触面と、下部コネクタアーム荷重支持面と、下部コネクタアームビーム接触面と、を有し、ビーム接触面が、下部コネクタ本体から遠位に位置付けられており、各下部コネクタアームが、下部コネクタを上部コネクタに結合させるための締結手段を受容するための、荷重支持面上の少なくとも１つの固定開口を有し、各下部コネクタアームが、下部コネクタアーム内面から下部コネクタアーム外面まで延在するように形成された孔を有する、少なくとも一対の下部コネクタアームと、
各アームのビーム接触面に結合され、かつ各アームのビーム接触面から延在する、下部コネクタアームボスであって、ボスが、アームの遠位端部から延在する下部コネクタアーム溶接部受容斜面を有する、下部コネクタアームボスと、を有する。
【００１０】
さらなる態様において、本明細書は、上部コネクタに関するものであり、該上部コネクタは、
上部コネクタ本体カラム受容端部と、上部コネクタ本体ガセット接触端部と、を有する、上部コネクタ本体であって、カラム受容端部が、第２のモジュールフレームの第１の端部を受容するように適合され、ガセット接触端部が、ガセットプレートに結合するように適合される、上部コネクタ本体と、
少なくとも一対の上部コネクタアームであって、各上部コネクタアームが、上部コネクタ本体に結合され、上部コネクタ本体から延在し、かつ上部コネクタアーム内面と、上部コネクタアーム外面と、上部コネクタアームガセット接触面と、上部コネクタアーム荷重支持面と、上部コネクタアームビーム接触面と、を有し、ビーム接触面が、上部コネクタ本体から遠位に位置付けられており、各上部コネクタアームが、下部コネクタを上部コネクタに結合させるための固定手段を受容するための少なくとも１つの上部コネクタアーム固定開口と、上部コネクタをガセットプレートに結合させるための第２の締結手段を受容するための少なくとも１つの上部コネクタアームガセット結合開口と、を有し、各上部コネクタアームが、上部コネクタアーム内面から上部コネクタアーム外面まで延在するように形成された孔を有する、少なくとも一対の上部コネクタアームと、
各上部コネクタアームの上部コネクタアームビーム接触面に結合され、かつ各上部コネクタアームの上部コネクタアームビーム接触面から延在する、上部コネクタアームボスであって、ボスが、アームの遠位端部から延在する上部コネクタアーム溶接部受容斜面を有する、上部コネクタアームボスと、を有する。
【００１１】
別のさらなる態様において、本明細書は、下部コネクタと、上部コネクタと、ガセットプレートと、第２の下部コネクタと、第２の上部コネクタと、を有する、コネクタアセンブリを形成する方法に関するものであり、下部コネクタ、上部コネクタ、ガセットプレート、第２の下部コネクタ、および第２の上部コネクタは、本明細書に開示されるとおりであり、該方法は、
下部コネクタ、上部コネクタ、ガセットプレート、第２の下部コネクタ、および第２の上部コネクタを位置付けるステップと、
下部コネクタを上部コネクタに結合させるステップと、
第２の下部コネクタを第２の上部コネクタに結合させるステップと、
下部コネクタを第２の下部コネクタに結合させるステップと、
上部コネクタを第２の上部コネクタに結合させるステップと、を含む。
【００１２】
なおも別のさらなる態様において、本明細書は、隣接するモジュール式建物を結合させる方法に関するものであり、モジュール式建物が、共に、下部コネクタと、上部コネクタと、ガセットプレートと、第２の下部コネクタと、第２の上部コネクタと、有し、下部コネクタ、上部コネクタ、ガセットプレート、第２の下部コネクタ、および第２の上部コネクタが、本明細書に開示されるとおりであり、該方法は、
第１のモジュール式建物の第１のモジュール式ユニットを他方のモジュール式建物のモジュール式ユニットに隣接して位置付けるステップと、
第１のモジュール式建物の第１のモジュール式ユニットの下部コネクタを、他方の建物のモジュール式ユニットの第２の下部コネクタに結合させるステップと、
第１のモジュール式建物の第１のモジュール式ユニットの上部コネクタを、他方の建物のモジュール式ユニットの第２の上部コネクタに結合させるステップと、を含む。
【００１３】
なおも別のさらなる態様において、本明細書は、下部コネクタと、上部コネクタと、ガセットプレートと、第２の下部コネクタと、第２の上部コネクタと、を備える、モジュール式建物に関するものであり、下部コネクタ、上部コネクタ、ガセットプレート、第２の下部コネクタ、および第２の上部コネクタは、本明細書で開示されるとおりである。
【００１４】
以下、一例として、本出願の例示的な実施形態を示す添付図面を参照する。
【００１５】
以下、一例として、本出願の例示的な実施形態を示す添付図面を参照する。
【図面の簡単な説明】
【００１６】
【図１】２つのユニットを結合させる前の、既存のモジュール式建物に接続するための予め組み立てられたモジュール式ユニットの斜視図である。
【図２】図１に示されるモジュール式ユニットの結合後のモジュール式建物の斜視図である。
【図３】部分的カラムおよび部分的中空構造セクション（ＨＳＳ）を有する９０°コネクタの分解斜視図である。
【図４】部分的カラムおよび部分的中空構造セクション（ＨＳＳ）を有する９０°コネクタの組み立て斜視図である。
【図５】部分的カラムおよび部分的中空構造セクション（ＨＳＳ）を有する１８０°コネクタの分解斜視図である。
【図６】部分的カラムおよび部分的中空構造セクション（ＨＳＳ）を有する１８０°コネクタの組み立て斜視図である。
【図７】部分的カラムおよび部分的中空構造セクション（ＨＳＳ）を有する２つの隣接する９０°コネクタアセンブリの分解斜視図である。
【図８】部分的カラムおよび部分的中空構造セクション（ＨＳＳ）を有する２つの隣接する９０°コネクタアセンブリの組み立て斜視図である。
【図９】隣接する９０°コネクタと結合させる前の９０°コネクタの斜視図である
【図１０】隣接する９０°コネクタと結合させた後の９０°コネクタの斜視図である。
【図１１】隣接する１８０°コネクタと結合させる前の１８０°コネクタの斜視図である。
【図１２】隣接する１８０°コネクタと結合させた後の１８０°コネクタの斜視図である。
【図１３】結合させる前の３つの９０°コネクタの斜視図である。
【図１４】結合させた後の３つの９０°コネクタの斜視図である。
【図１５】結合させる前の４つの９０°コネクタの斜視図である。
【図１６】結合させた後の４つの９０°コネクタの斜視図である。
【図１７】隣接する下部コネクタを結合させる前の、２つの隣接するモジュールの分解部分斜視図である。
【図１８】隣接する下部コネクタを結合させた後の、２つの隣接するモジュールの部分斜視図である。
【図１９】隣接する下部コネクタを結合させる前の、筋交いを有する２つの隣接するモジュールの分解部分斜視図である。
【図２０】隣接する下部コネクタを結合させた後の、筋交いを有する２つの隣接するモジュールの分解部分斜視図である。
【００１７】
同じ部品を示すために、異なる図において同じ参照符号が使用されている場合がある。
【発明を実施するための形態】
【００１８】
既存のモジュール式建物の拡張に関しては、課題が存在する。例えば、追加的なモジュール式ユニットを横方向に取り付けて、既存のモジュール式建物の設置面積を拡張する場合である。図１は、多数の床を有する既存のモジュール式建物２を示す。建物の設置面積を拡張するためは、異なるレベルの多数のモジュールを既存のモジュール式建物２に接続しなければならない。各レベルの各モジュールを独立して既存のモジュール式建物２に接続することは、問題となる場合があり、さらに、最終的なモジュール式建物の構造強度の損失ももたらす場合がある。加えて、予め製造したモジュール式ユニット４を既存のモジュール式建物２に結合させて、拡張されたモジュール式建物６（図２）を形成することもまた、その問題を生じさせる場合がある。例えば、モジュール式建物２およびモジュール式ユニット４の全体的な構造強度を維持し、かつそれらの接合面での屈曲を回避しながら、既存のモジュール式建物２の各床の各モジュールのコーナーコネクタを、予め製造したモジュール式ユニット４の各床の各モジュールのコーナーコネクタと接続することは困難であり得る。加えて、追加的なモジュールを１つずつ既存のモジュール式建物に結合させるときには、構造強度を維持しながら、既存のモジュール式建物のコネクタアセンブリを、追加される新しいモジュールのコネクタアセンブリに結合させることが困難であり得るので、同様の課題が存在し得る。
【００１９】
ＰＣＴ出願番号第ＰＣＴ／ＣＡ２０１４／０５０１１０号、同第ＰＣＴ／ＣＡ２０１５／０５０３６９号、同第ＰＣＴ／ＣＡ２０１６／０５０４３４号、および同第ＰＣＴ／ＣＡ２０１６／０５０９５４号（その内容は、参照により本明細書に組み込まれる）は、本明細書に開示されるコネクタを含む明細書に関する追加的な情報と共に、コネクタアセンブリ、モジュール式ユニット、コネクタを結合させる方法、ならびにモジュール式ユニットおよび建物を構築する方法を開示している。
【００２０】
本明細書は、最初に、読みやすさのために、各構成要素または構成要素グループの説に細分化されている。
【００２１】
コーナーブロック
本明細書は、一実施形態においてコーナーブロックである上部または下部荷重支持コネクタまたはブロックを開示する。特定の実施形態において、ブロックは、実質的に四辺形であり、他の実施形態では、多角形または非対称形状を有する。これらのブロックは、少ない数および小さいサイズの物体に精密動作を集中させ、他の部材に行わなければならない作業の量および複雑さを低減させるように、多数の機能を提供する特徴を伴って量産することができる。上部ブロックおよび下部ブロックは、別個の形態とすることができ、一実施形態では、概して角張った、管状の、またはビルドアップ形態の垂直コーナー部材（カラム）の上端部および下端部に位置付けられ、そのように構築されたモジュールを、特徴を使用してブロック上に接合して、より大きい、またはより高い構造物を形成するときに、多層カラムの機能を果たす。
【００２２】
同様に、ブロック上の他の特徴は、建物の水平部材に係合し、そのように構築されたモジュールを接合してより大きい、またはより広い構造を形成するときに、連続水平部材の機能を果たす。
【００２３】
特定の実施形態において、ブロックは、限定されないが、複数の角度で隣接する部材の場所および溶接を提供するブロックの面に対して垂直であることが挙げられる、複数の角度で突出するアームを有する。したがって、特定の実施形態において、本発明は、限定されないが、直角、テーパ付き、放射、および湾曲形状が挙げられる、モジュールの製作および組み立てを容易にする。アーム内のねじ付きおよびねじ無し孔は、ねじ付き締結具の位置決めを達成し、アームの垂直壁は、荷重支持能力の増大、および建物に作用する力によって、かつ締結具の作用によって生じる圧縮力および張力の伝達を提供する。
【００２４】
特定の実施形態において、ブロックは、柱を通る垂直張力の連続性、および隣接するモジュールまたは他の建物構造間の相互接続に抵抗するモーメントを提供するように、ナットを有するボルトの通路、およびそれを受容するための孔を本体およびアームの両方に有するか、またはボルトを受容するようにねじ切りされている。垂直面内のカラムの接続に起因する張力抵抗は、持ち上がりが生じる場所で構造物が持ち上がりに抵抗することを可能にし、かつガセットプレート上に摩擦を生成して、高レベルの固定性で水平面の横部材に力を伝える。
【００２５】
より具体的には、組み立て中に、上側および下側からガセットプレートを担持するアームの表面を堅固にする。
【００２６】
特定の実施形態において、ボルトは、取り外し可能なパッチが、ボルトの場所を覆い、かつ荷重支持構造物を取り囲む耐火材料の連続性を確実にするように、容易に構成することができるように、壁の空洞または他のそのような場所内にアクセス可能であり、かつ表面と面一またはその下側に配設することができる。特定の実施形態では、屋根アセンブリの下側への接続と同様に、ボルトは、下から上へ挿入することができる。
【００２７】
特定の実施形態において、ブロックは、非常に短く切断された、または直角をなさない端部もしくは他の不完全部を有する接続部材への溶接部の構造的衝撃を低減し、コーナーブロックとブロックに溶接された部材との間の不適合な溶接接続を作業者が実行する可能性を低減する、アセンブリ溶接のための裏当てを提供するように位置付けられたブロックの遠位端面に突出している特徴を有し、また、溶接部が表面を越えて突出しないように研削することが必要になる可能性、および隣接するモジュールと衝突する可能性を低減するように位置付けられたブロックの外側に位置付けられた傾斜特徴を有する。
【００２８】
コーナーブロックの孔は、固定用具および吊り上げ装置への接続手段を提供する。特定の実施形態において、ブロックの上面は、クイックリリースコネクタを挿入することができる開口部を備えて、モジュールと持ち上げ装置とを迅速かつ確実に接続および接続解除する手段を提供する。
【００２９】
特定の実施形態において、ブロックは、地震事象中に生じ得る接触平面に沿ったずれに対する抵抗力を増大させるために、ガセットプレート上の対応する特徴と係合する、接触面上の特徴を有する。
【００３０】
特定の実施形態において、ブロックは、気密性を向上させ、かつ床または天井材料に対する支持を提供するために、床または天井仕上げ剤を塗布して、締結具アクセス除外領域に連続バッカーを提供する面と同一平面上の突出フランジを有する。使用に際して、床材料は、ブロックのアームの端部までフレームの頂面を覆うが、ブロックにおいて切り取られて、頂面を露出させて、組み立てるためのボルトの挿入を可能にする。これは、床材を支持されないままにすることができる。示されるフランジは、床の間の封止部にいかなる亀裂も生じないように、床をその領域内で支持すること、および連続面を作成するのを補助し、これは、耐火処理を補助することができる。
【００３１】
特定の実施形態において、ブロックは、バルコニー、廊下、および外観処理などのアクセサリを接続するための多数の孔を垂直面上に有する。
【００３２】
特定の実施形態において、ブロックは、垂直張力締結具の通路のための１つ、２つ、３つ、またはそれ以上の孔を有し、その孔を中心とし得る垂直構造部材ごとに１つのそのような孔が存在する。別の特定の実施形態では、垂直部材ごとに２つ以上の孔が存在する。締結具が通過するブロック上のアームの長さおよびブロック間のガセットプレート上のアームの長さは、そのような孔の数に関連して変化する。
【００３３】
特定の実施形態において、下側ブロックは、ボルトの通過を可能にするために穿設または別様には鋳造物から除去しなければならない鋼の量を低減させるために、面を通る開口部を有する。この特徴と、または別個にブロックと組み合わせることで、リブを補強して、荷重支持能力および耐ねじれ性を増強することができる。
【００３４】
別の構成要素は、その一方の端部に、ある寸法の管状構造部材を受容するように用意された特徴を有し、かつ他方の端部に、別の寸法の管状部材を受容するように用意された特徴を有するブロックであるか、または変形させることなく２つの部材の間で力を伝達するためのテーパ付き側部および内部リブもしくは他の補強手段を有するブロックの対応する特徴である。上記のＰＣＴ出願において先に説明したように、荷重に応じてカラムのサイズを変化させることが望ましくなり得る。荷重がより小さい建物の上部分には、より小さいカラムが使用され、重力荷重の蓄積および転倒力の増加により荷重がより大きい下部分には、より大きいカラムが使用される。
【００３５】
別の構成要素は、プレートから製造されたカラムをその外部垂直面に溶接することを可能にして、同様の様態で作製された接続部を直接支持し、かつそこに接続するブロックであるか、または上で説明した種類のブロックである。当業者によって認識され得るように、ＴまたはＸ構成で接合された２つ以上のそのようなカラムは、より大きい１フィートあたりの重量および増大した断面の両方を達成することができ、建物の占有空間内に突出を伴うことなく、より大きい耐座屈性をもたらす。
【００３６】
ガセットプレート
別の構成要素は、頂部のブロックとカラムまたは一群のカラムとの間に間置されたプレートであり、該プレートは、コーナーブロックの下側に対応する位置決め凹部との摺動接触によって下降モジュールに係合し、かつ方向付け、したがって、締結するための正しい位置にモジュールを位置付けるための、上向きテーパ付き位置決めピンを有する。プレートはまた、隣接するモジュールをボルトで接続する際に使用して、建設中および完成した建物の両方において、構造的連続性を水平面に提供するための、ならびにその靭性により、カラム群の全ての部材上で等しく支持し、このように形成された連続的な荷重経路を確保するために、カラムの長さのわずかな変化に適応するための貫通孔も提供する。当業者によって認識され得るように、プレートは、単一の垂直カラムの間で、または直交もしくは他の配置で配設された２つ以上のカラムの間で嵌合するように成形することができる。特定の実施形態では、モジュールの完成寸法のばらつきに適応し、したがって、モジュールスタックの正しいジオメトリを維持するために、同様の寸法であり、かつ適切な孔を備えたシムが接続部の片側または両側に配置される。
【００３７】
特定の実施形態において、ガセットプレートは、その上面および下面に突出部を備え、該突出部は、上側および下側のブロックの接触面の対応する溝と係合して、地震事象中に生じ得る摺動運動に対する抵抗を増加させ、かつ、そのような運動を垂直張力締結具のシャンクに印加する荷重を低減させる。
【００３８】
カラムの頂部および底端部においてコネクタ間に間置されるガセットプレートに加えて、頂部コネクタまたは底部コネクタに隣接して接続するために、第２のガセットプレートも使用することができる。本明細書でさらに説明されるように、使用される第２のガセットプレートは、ボルトなどの締結手段を受容して、第２のガセットプレートを２つの隣接する頂部コネクタに、または２つの隣接する底部コネクタに固定するための孔を有することができる。
【００３９】
階段吹き抜けおよびエレベータシャフト
本明細書に開示されるシステムは、階段または昇降装置が設置され、かつ著しい視覚的または機能的な中断を伴うことなく２つのモジュール間のメイトラインで分離する、モジュールの製造を可能にする。
【００４０】
オーバーハイトモジュール
本明細書に開示されるシステムは、居住可能な容積の上半分および下半分を含むモジュールの製造を可能にし、該容積は、通常許容される出荷制限よりも高い、かつ著しい視覚的または機能的な途絶を伴うことなく２つ以上の積み重ねられたモジュールの間のメイトラインで接合される。
【００４１】
廊下
開示される構成要素の別の群は、鉄筋コンクリート、サンドイッチプレート、木材、または支持台座と一緒に形成された金属などの、好適な材料から形成された構成的な廊下の床である。特定の実施形態において、スラブは、補強バーを伴う鉄筋コンクリートからなり、よって支持台座上の特徴が該補強バーと係合して、台座の曲げに抵抗し、このように接続された隣接するモジュールのスタック間のモーメント接続を作り出す。台座は、孔を備え、該孔は、上部および下部コーナーブロックの対応する孔と整列し、かつモジュールの２つの平行なスタックを接続する役割を果たし、ならびに片側のスタック内の隣接するカラムを接続して、組み合わせた荷重通路を作り出す。台座および床スラブはまた、バルコニーまたは渡り廊下を伴う建物を建設するために、スラブの片側のモジュールのスタックの、および外側のバルコニー支持フレームの側部または端部にも接続され得る。床スラブおよび台座アセンブリはまた、工場環境の外でのこれらの構成要素の構成部品の製造を容易にするために、ダクト、パイプ、および配線などの付帯設備のための好都合な支持体としても使用され得る。
【００４２】
特定の実施形態において、ガセットプレートは、必要に応じて延在させることができ、かつ様々なサイズのアクセサリ支持体および接続アセンブリを支持および係合する締結具の通路のための孔を備えることができる。
【００４３】
相互依存の細部のシステム
本発明はまた、固定具のシステムと共に、対象の建物の相互接続された部材を寸法決定することの基礎をなす所定のグリッドも備え、該固定具は、グリッドが、全ての製造されたアセンブリを通して全ての軸において維持されることを確実にし、該グリッドは、コーナーブロックから、部材まで、サブアセンブリまで、モジュールまで、および建物全体まで、全ての軸において延在する正確で相互依存する関係を確実にする。したがって、寸法決定システムは、断片的な要素およびモジュールのサイズ設定を低減させ、共通部品の数を増加させ、かつ基礎および台壁の建設業者との協調の難しさを低減させ、これは、構成要素の全ての内部または外部の供給業者がモジュールをそのように製造する際に統合されるべき作業を容易にする。
【００４４】
特定の実施形態において、システムは、±１／３２”の固定具に使用される孔の間の中心−中心精度、および＋０”−１／１６”の全ての噛合面の外−外寸法精度を有する、３つの軸における２インチ以上または以下の増分に基づく。
【００４５】
固定具
本発明は、モジュールフレームを組み立てるためのシステムを含み、該システムは、モジュールがその上側に確立されたグリッドに適合すること、およびモジュールのいかなる部品も最外の理想的な寸法を超えて突出しないことを確実にし、構造物の達成可能な組み立て速度および精度を高め、付加的な寸法ドリフトの可能性を排除し、その結果、建設の難しさ、耐火処理の難しさ、より大きい固定性によってモジュールを相互接続する可能性、ならびに壁厚および無駄な空間の低減をもたらす。
【００４６】
補強部材
さらに、本発明は、互いに、かつ本明細書で説明されるカラム、横方向フレーム、筋交い、およびコーナーブロックと接続し、補強構成要素の個別的な設計および製造またはカスタマイズに対する必要性を排除する、標準化された補強部材のシステムを備える。
【００４７】
補強分析
さらに、本発明は、要求されるよりも多い場所に不必要な構造材料を追加することなく、耐火材料の適用を著しく損なうことなく、かつモジュールの壁の追加的な厚さを必要とすることなく、モジュールからなる建物に作用する力を系統的に分析し、標準化された補強システムを適用するための最適な場所を規定し、累進的な座屈および持ち上げ抵抗を有する標準化された補強材のリストから選択し、それによって、追加的な応力下にある領域を強化するために最低限必要とされる補強材のみを組み込むための作業方法を含む。
【００４８】
ビルドアップカラム
さらに、本発明は、高いおよび／または細長い建物の建設において遭遇する荷重に起因する圧縮力および引張力に対するより大きい抵抗を有するグルーピングを形成するように、外側カラムを製造および接続するための方法を含む。
【００４９】
特定の実施形態において、カラムの水平ドリフト、座屈、および持ち上げに対する抵抗は、カラムの垂直縁部に沿った溶接または他の好適な方法で群に溶接し、かつ、これらの群をその目的で提供される領域のコネクタブロックに溶接または別様には取り付けることにより、２つ以上のカラムを接合することによって増加される。
【００５０】
特定の実施形態において、カラムは、それらの縁部に沿って溶接または他の好適な手段によって接合されたプレートからなり、これらのアセンブリは、ブロックに溶接または別様に接合される。特定の実施形態において、これらのプレートは、１”以上の厚さである。別の特定の実施形態において、プレートカラムは、それらが溶接されるブロックを迂回し、プレートの端部に沿ってガセットプレートの頂部および底面と接触する。
【００５１】
特定の実施形態において、カラムは、累進的により大きくなり、それに対応してより大きい本体および接続特徴を有するブロックに係合する。特定の実施形態において、これらのカラムは、標準的な構造用中空金属または複合体のセクションに対応する、４”の正方形、６”の正方形、８”の正方形、１０”正方形、長方形など、またはメートル法の同等物である。
【００５２】
利点
フレームを伴わない高さの増加
組み立て中に完全に圧縮されず、したがって、完全に固定されない接続を不注意に作成する危険性を排除することによって、およびさらに多くの締結具を提供することによって、および補強材の配置を容易にすることによって、本発明の構成要素のシステムおよび作業方法は、二次的な外部または内部支持フレームに対する必要性を伴うことなく建設することができる建物の高さを増加させる役割を果たし、かつ構造的機能における部材のより大きい部分、および接続の強化された固定性、多数の冗長な荷重経路の作成および確実さ、ブレースフレームのモジュールへの統合、ならびに隣接モジュールを通して完成した建物に与えられ、したがって地面に与えられる外部、内部、および自己荷重の効率的な伝達を伴うことに起因して、その使用可能な床面積を増加させる役割を果たすことができる。
【００５３】
フレームを伴う高さの増加
上部の床に必要とされる鋼の量、したがってその総重量を低減させることによって、本発明はまた、所与のサイズの二次的な外部または内部の筋交いフレームを使用して建設される建物の高さを増加させる役割も果たす。
【００５４】
固有の部品の数、場所の数、および部材のサイズの低減
印加される荷重を分析し、必要とされる部材のより多くを構造的機能により効率的に関与させることによって、本発明はまた、必要とされる部材のサイズも低減させ、かつ固有の補強細部および関連する耐火処理の複雑さが必要とされる数、サイズ、および場所も制限し、それによって、建物のコストも削減する。
【００５５】
精度に関する要件の低減
本明細書は、モジュール式生産設備の従業員によってなされなければならない部品の精密さをさらに低減するのを補助することができ、これは、製造コストを低減する。
【００５６】
複雑な製造の低減
本発明は、部材を接合し、モジュールを吊り上げ、かつ、モジュールを単一の量産構成要素に接合するために必要とされる複雑な機能の多くを集中させ、モジュールを構築するために必要な熟練した作業に関する複雑さおよび要件の両方を低減するのを補助する。
【００５７】
より高くおよびより広くすることを可能にする
加えて、本システムは、一方が天井に開口を有し、他方が床に開口を有する２つの積み重ねられたフレームからなるより高いモジュール、筋交いの性能によるより長いモジュール、および端部の開口の改善された挙動によるより広いモジュールの建設を可能にし、したがって、より大きい柔軟性を、そのように構築される建物の設計者に提供することを可能にすることができる。
【００５８】
壁の厚さの低減
荷重支持構成要素をより良好に完全に分配することによって、本発明は、構造物および付帯設備を収容するために必要とされる壁厚を低減させるのを補助することができる。
【００５９】
補修のための現場作業の低減
張力接続を壁の空洞内に配置し、接続手段をカラムの近くに集中させることによって、本発明は、その後に補修しなければならない除外領域の数および大きさの両方を低減させるのを補助することができる。
【００６０】
以下、本明細書に開示される一実施形態による本発明を、添付図面を参照しながら説明する。
【００６１】
図３（分解図）および図４（組み立て図）は、本明細書に開示されるコーナーコネクタアセンブリを形成するために使用することができる、９０°下部コーナーコネクタ８（またはブロック）を開示する。下部コネクタは、概して下部コネクタ本体１０からなり、下部コネクタ本体１０からアーム１２が互いに対して９０°で延在する。下部コネクタ本体１０の一方の端部は、下部コネクタ本体カラム受容端部１４として示され、モジュール式フレームのカラム１６、ポスト、または他の構造ユニットを受容および結合するように適合され、一方で、他方の端部は、下部コネクタ本体ガセット接触端部１８として示され、（本明細書で説明されるような）第１のガセットプレート２０に結合するように適合される。
【００６２】
一実施形態において、下部コネクタカラム受容端部１４は、ＰＣＴ出願第ＰＣＴ／ＣＡ２０１４／０５０１１０号、同第ＰＣＴ／ＣＡ２０１５／０５０３６９号、同第ＰＣＴ／ＣＡ２０１６／０５０４３４号、および同第ＰＣＴ／ＣＡ２０１６／０５０９５４号（その内容は、参照により本明細書に組み込まれる）で説明されるように、カラム１６、ポスト、または下部コネクタ本体溶接部受容斜面から延在する溶接部受容斜面および溶接部バッカーなどの他の構造ユニットを結合させるのを支援することができる特徴を備えることができる。そのような特徴は、カラム１６、ポスト、または他の構造単一体の適切な配置、および溶接部の形成を支援することができ、また、いくつかの実施形態において、カラム、ポスト、または他の構造ユニットのあらゆる変更の必要性を回避することができる。
【００６３】
本明細書に開示される実施形態において、下部コネクタ本体１０は、下部コネクタ本体溶接部受容斜面２２と、溶接部受容斜面２２から延在する溶接部バッカー２４と、を備える。下部コネクタ本体溶接部バッカー２４は、カラム１６の断面と同様の断面を有することができるが、溶接部バッカー２４は、中空構造セクション（ＨＳＳ）に挿入して、カラムの適切な整列を確実にすることができるようにサイズ決定される。加えて、カラム１６は、溶接部バッカー２４に正確に穿設された孔２７と整列させることができる孔２６を有することができ、よって、カラム１６の孔２６と溶接部バッカー２４の孔２７との整列の後に、カラム１６を適切に位置付けることを確実にしながら、ねじまたはボルトなどの締結手段２８を使用してカラムを適所に固定することができる。
【００６４】
本明細書で説明されるように、下部コネクタ本体１０はまた、下部コネクタ本体ガセット端部３０にあり、かつ第１のガセットプレート２０と接触し得る、下部コネクタ本体ガセット接触面１８も備える。本明細書に開示される実施形態において、下部コネクタ本体ガセット接触面１８は、略平面である。一実施形態において、例えば、限定されないが、下部コネクタ本体ガセット接触面１８は、下部コネクタ８からの任意の水、凝縮水、または他の液体の排水を可能にすることができる、浸出チャネルを備えることができる。
【００６５】
図３および図４に示される実施形態において、下部コネクタ８は、下部コネクタ本体１０から延在する一対の下部コネクタアーム１２を備える。加えて、アームは、互いに対して垂直に位置付けられ、すなわち、一方のアームが第２のアームに対してほぼ９０°で延在する。しかしながら、アームの位置は、設計および用途の要件に応じて変化させることができ、アームは、９０°未満またはそれを超える角度で存在し得る。例えば、図５および図６は、下部コネクタ８を開示し、アーム１２は、互いに対して１８０°で（反対方向に）延在する。
【００６６】
モジュール式構造物の下部コネクタ８の配置により（図１および図２）、下部コネクタ８は、下部コネクタ内面３２と、下部コネクタ外面３４と、を備える。下部コネクタ内面３２は、モジュール式構造物によって示され、該モジュール式構造物は、コネクタ８の面３２が、下部コネクタ内面３２とみなされるモジュール式構造物の内側に向かって位置付けられ、かつモジュール式構造物の内部から離れて（または外側に向かって）位置付けられた下部コネクタ８の面が、下部コネクタ外面３４として示される状態で形成される。
【００６７】
示される実施形態において、下部コネクタアーム１２は、下部コネクタアーム荷重支持面３６と、下部コネクタアームビーム接触面３８と、を有し、これらは、ビーム４０または他の構造ユニットに係合して、モジュール式構造物を形成することができる。示される実施形態において、下部コネクタアーム荷重支持面３６は、下部コネクタ本体カラム受容端部１４の平面とは異なる平面にあり、下部コネクタアーム荷重支持面３６の平面は、下部コネクタ本体カラム受容端部１４の平面よりも、下部コネクタ本体ガセット端部３０を有する平面の近くに存在する。これは、下部コネクタ本体カラム受容端部１４を、下部コネクタアーム荷重支持面３６から離間することになり、また、溶接作業によってモジュール式構造ユニットを形成するのを補助することができる。
【００６８】
下部コネクタアーム１２は、本明細書に開示される、上部コネクタ１０２に下部コネクタ８を結合させるために、かつコネクタアセンブリ１００を形成するために使用することができる、孔４２を備えることができる。一実施形態において、図に開示されるように、孔４２は、下部コネクタ内面３２により近く位置付けることができ、これは、下部コネクタ外面３４により近く位置付けられた下部コネクタアーム荷重支持面３６を提供するのを補助することができる。下部コネクタアーム荷重支持面３６は、モジュール式構造物の追加的な構造特徴の荷重を位置付け、支持するための、アーム１２上の領域を提供することができる。別の実施形態において、伝達される荷重およびブロックの表面の荷重支持要素の位置付けによる必要に応じて、より多い孔またはより少ない孔が存在し得る。
【００６９】
下部コネクタ８のアーム１２はまた、下部コネクタアームビーム接触面３８から延在するボス４４も備え、該ボスは、下部コネクタ本体１０から延在するアーム１２の遠位端部に位置付けられる。ボス４４は、下部コネクタアーム１２をモジュール式フレームのビーム４０または他の構造ユニットに結合させるための特徴を備えることができる。一実施形態において、ボス４４は、下部コネクタ溶接部受容斜面４６を備え、これは、モジュール式フレームのビーム４０または他の構造ユニットとの溶接部を形成するのを支援することができる。
【００７０】
一実施形態において、例えば、限定されないが、ボス４４は、下部コネクタアーム８のビーム接触面３８の片側に向かって位置付けることができる。図に示される実施形態において、ボス４４は、下部コネクタ８の外面３４の近傍に位置付けられ、さらに、下部コネクタ内面３２の近くの下部コネクタアーム１２の縁部から離間される。外面３４の近くにボス４４を位置付けることによって、チャネルが、内面３２の近くの下部コネクタアーム１２のビーム接触面３８に提供される。チャネルは、ワイヤまたは他の導管をモジュール式構造物に通すための空間を提供することができる。
【００７１】
図５および図６は、図３および図４に開示される実施形態の下部コネクタ８と同様の特徴を有する、下部コネクタ８の第２の実施形態を示す。図５および図６に開示される実施形態は、図３および図４に示されるように互いに対して垂直ではなく、反対方向に延在するアームを有する。本明細書の教示に基づいて当業者によって認識されるように、アーム１２の方向は、特に限定されておらず、用途および設計要件によって変化し得る。
【００７２】
加えて、下部コネクタ８のアーム１２は、下部コネクタ内面３２から下部コネクタ外面３４まで延在して形成された１つ以上の孔４８を有することができる。本明細書でさらに説明されるように、１つ以上の孔４８は、下部コネクタ８を隣接する下部コネクタに結合させることを可能にする締結手段２８を受容することができる。
【００７３】
コネクタアセンブリ１００を形成するように開示され、使用される上部コネクタ１０２は、上で説明した下部コネクタ８と同様の特徴を有する。上部コネクタ１０２の追加的な詳細は、ＰＣＴ出願第ＰＣＴ／ＣＡ２０１４／０５０１１０号、同第ＰＣＴ／ＣＡ２０１５／０５０３６９号、同第ＰＣＴ／ＣＡ２０１６／０５０４３４号、および同ＰＣＴ／ＣＡ２０１６／０５０９５４号（その内容は、参照により本明細書に組み込まれる）に見出すことができる。加えて、本明細書においてさらに記載されるように、上部コネクタ１０２は、上部コネクタアーム１０４の内面から外面へ（下部コネクタに見られるものと同様）延在する穴５０を有することができ、それによって上部コネクタ１０２を、隣接する上部コネクタに結合させることができる。
【００７４】
図７（分解図）および図８（組み立て図）は、本明細書に開示される一実施形態によるコネクタアセンブリ１００を示し、一対の隣接する下部コネクタ８は、一対の隣接する上部コネクタ１０２に結合され、それらの間にガセットプレート２０を挟む。各上部コネクタ１０２は、上部コネクタガセット接触面１０６に結合されるピン５４を有する。ＰＣＴ出願第ＰＣＴ／ＣＡ２０１４／０５０１１０号、同第ＰＣＴ／ＣＡ２０１５／０５０３６９号、同第ＰＣＴ／ＣＡ２０１６／０５０４３４号、および同第ＰＣＴ／ＣＡ２０１６／０５０９５４号（その内容が参照により本明細書に組み込まれる）に説明されるように、ピン５４は、ガセットプレート５４の孔５６に挿入され、次いで、ピン５４は、下部コネクタガセット接触面１８の孔（図示せず）に係合して、コネクタアセンブリ１００を形成するときに、適切な整列を確実にする。
【００７５】
多数の床面を有するモジュール式ユニット４の追加によって、既存のモジュール式構造物２の設置面積を拡張するために、組み立て時に、既存のモジュール式構造物２の下部コネクタを、互いに隣接して存在するモジュール式ユニット４の下部コネクタに結合させることができる。同様に、既存のモジュール式構造物２の上部コネクタをモジュール式ユニット４の上部コネクタに結合させて、図２に示される、拡張したモジュール式建物６を形成することができる。
【００７６】
図９（分解図）および図１０（組み立て図）は、結合前（図９）および結合後（図１０）の隣接する下部コネクタ８を示す。下部コネクタ８は、横方向に下部コネクタアーム１２を通して穿設され、チャネルを形成し、かつ内面３２から下部コネクタ８の外面３４への流体連通を可能にする、孔４８を有する。孔４８の数および位置は、特に限定されず、設計および用途の要件によって変化し得る。示される実施形態において、各下部コネクタアーム８は、一対の孔４８を有し、第１の孔４８は、下部コネクタアーム荷重支持面３６のより近くに形成され、他の孔４８は、下部コネクタガセット端部３０のより近くに形成される。加えて、一実施形態において、図に示されるように、孔４８は、下部コネクタ本体１０から遠位位置にあり、換言すれば、下部コネクタアーム接触面３８のより近くにある。クロスボルト２８を受容するための孔４８の実際の位置は、特に限定されず、本明細書で開示されるように、該孔がコネクタのアーム１２に位置付けられ、横方向に形成され、かつクロスボルト２８をコネクタに隣接して締結するように挿入することを可能にする限りは、用途および設計の要件に応じて変化し得る。しかしながら、孔４８をコネクタアームビーム接触面３８のより近くに位置付けることによって、隣接するコネクタに結合させるときに、向上した固定性を達成することができる。
【００７７】
隣接する下部コネクタ８を結合させるためには、クロスボルト２８を使用して、第１の下部コネクタ８を隣接する第２の下部コネクタ８に締結することができる。図９に示されるような一実施形態において、第１のボルト２８は、第１の下部コネクタ８の内面３２から第１の孔４８の中へ挿入され、次いで、隣接する第２の下部コネクタ８の外面３４から対応する第１の孔４８に係合する。加えて、第２のボルト２８は、第２の下部コネクタ８の内面３２から第２の孔４８の中へ挿入され、次いで、隣接する第１の下部コネクタ８の外面３４から対応する第２の孔４８に係合する。開示される実施形態において、孔の４８位置は、交互にボルト２８を挿入して、隣接する下部コネクタを結合させることを可能にする（図９を参照されたい）。
【００７８】
上で説明したように、図９および図１０は、隣接する９０°下部コネクタの結合を示し、一方で、図１１（分解図）および１２（組み立て図）は、クロスボルト２８を使用した、隣接する１８０°下部コネクタの結合を示す。上で説明したように、図１３（分解図）および図１４（組み立て図）は、クロスボルト２８を使用した、３つの９０°下部コネクタ８の結合を示し、一方で、図１５（分解図）および図１６の（組み立て図）は、クロスボルト２８を使用した、４つの９０°下部コネクタ８の結合を示す。
【００７９】
下部コネクタ８に関して上で説明したように、上部コネクタ１０２を結合させるための同様の方法を使用することができ、該コネクタはまた、上部コネクタ１０２から延在するアーム１０４の横断面に形成された孔も備える。
【００８０】
図１７（分解図）および図１８（組み立て図）は、モジュール式建物２をモジュール式ユニット４に結合させるときに、隣接モジュールを結合させる代替の方法を示す。図１７に示される実施形態では、１８０°下部コネクタが開示されているが、当業者によって認識されるように、下部コネクタ８を結合させることと同様に、上部コネクタ１０２もまた、同様の方法で結合させることができる。
【００８１】
コネクタに関して上で説明した特徴および方法、ならびに隣接するコネクタを結合させる方法はまた、図１７および図１８に開示されるように、隣接するコネクタを結合させるときにも使用することができる。図１７および図１８に示される実施形態において、第２のガセットプレート５２は、第２のガセットプレート５２の開口部に挿入することができる締結手段２８を使用して、下部コネクタアーム荷重支持面３６に結合され、次いで、下部コネクタアーム荷重支持面３６の１つ以上の孔に係合する。第２のガセットプレート５２は、下部コネクタアーム荷重支持面３６に係合されると、床下張１５２と同じ平面に存在する。使用される第２のガセットプレートは、下部コネクタ８の単一のアーム１２にだけ結合させることができる。代替的に、図ページのより頂部近くで図１７に示されるように、隣接する下部コネクタ８を結合させて、モジュール式建物の設置面積を拡張するときに、使用される第２のガセットプレート１５０は、２つの隣接する下部コネクタアーム１２を結合させるようにサイズ決定される。他のガセットプレート５２と同様に、アーム１２を２つの隣接する下部コネクタに結合させるために使用されるガセットプレート１５０は、第２のガセットプレート１５０に、ならびに２つの隣接する下部コネクタ８の２つの隣接するアーム１２に係合する締結手段２８を受容することができる孔を有する。これは、拡張したモジュール式建物６の平滑な床を固定し、かつ確保することを補助することができる。
【００８２】
図１９および図２０は、斜め筋交い１５４をモジュールに使用する事例を示す。図１７および図１８に示される実施形態と同様に、第２のガセットプレート１５０を使用して、荷重支持面３６を下部コネクタアームに結合させる。図１９および図２０に示される実施形態において、第２のガセットプレート１５０は、斜め筋交い１５４を突出部１５６に固定するための締結手段２８を受容するための孔１５６を有する、突出部１５６を備える。隣接する下部コネクタ８を結合させるときには、締結手段２８を突出部１５６から取り外すことができ、斜め筋交い１５４を、斜めの筋交い１５４の対向する固定端部を中心に枢動させて（図２０）、下部コネクタ８の単一のアーム１２にのみ結合している第２のガセットプレート５２を取り外すための十分な空間を提供し、また、隣接する下部コネクタ８の２つの隣接するアーム１２に結合するプレート１５０を第２のガセットと交換することができる。第２の隣接するアーム１２に結合する第２のガセットプレート１５０が適所に配置されると、斜め筋交い１５４を枢動させて、設置された第２のガセットプレート１５０に固定するための位置に戻すことができる。
【００８３】
加えて、第２のガセットプレート１５０は、孔を有する追加的な突出部１５６を有することができ、該孔は、第２の斜め筋交いに結合すること（図１９）、ならびに固定性を確実するために斜め筋交いが適切に整列および固定されることを確実にする。
【００８４】
「上部」および「下部」という用語は、本明細書で使用される場合、特にコネクタに関して、相対的であり、また、相互に交換することができる。しかしながら、コネクタアセンブリ１００を説明する目的で、上部コネクタ１０２は、典型的には第２の（またはより下部の）モジュール式フレームの上に持ち上げて、位置決めすることができるモジュール式フレームの上部コーナーまたは上端部に位置付けられるコネクタを指す。一方で、下部コネクタ８は、モジュール式フレームの下部コーナーまたは下端部に位置付けられ、（上部コネクタよりも）地面または床により近いコネクタを指す。
【００８５】
示される実施形態において、上部コーナーコネクタ１０２および下部コーナーコネクタ８は、鋼の中空鋳造物から作製することができる。コネクタは、軟鋼と同等またはそれ以上の引張強度および延性などの機械的特性、ならびに構造的金属不活性ガス（ＭＩＧ）溶接のなどの標準的実施方法でコネクタを軟鋼に溶接することができるような冶金特性を有することができる。
【００８６】
さらなる実施形態において、上部および下部コネクタ（１０２、８）は、それぞれ、本体を有し、該本体は、特定の一実施形態において中空であり得る。上部コネクタ本体１０８および下部コネクタ本体１０は、設計および用途の要件に応じて、様々な形状を有し得る。しかしながら、図面において、上部および下部コネクタ（１０２、８）は、正方形断面を有する形状を有する。
【００８７】
一実施形態において、コネクタ本体（１０８、１０）は、４”×４”の中空構造セクション（ＨＳＳ）を受け入れるために４”角である。別の実施形態において、コネクタ本体（１０８、１０）は、６”×６”のＨＳＳを受け入れるために６”角である。コネクタ１０２および８は、意図された機能、ならびに鋳造を容易にする抜け勾配およびセクションの均一性などの詳細について十分な厚さを有する。特定の実施形態において、鋳造物は、穿設され、表面は、開口の中心と他の開口との間、ならびにブロックの面の間で測定したときに高精度にミリングされる。加えて、直角度および平行度は、同様に、高い許容差に、または好都合であり得る他の許容差に維持される。別の実施形態において、コネクタは、溶接または機械的手段によって、圧延セクションの１つ以上を、平プレートまたはブレーキ形成プレートを組み立てることによって作製される。さらなる実施形態において、部品は、非鉄、プラスチック、セメント、または任意の他の好適な材料を鋳造することによって作製される。別の実施形態において、カラムおよびアームが接続されるブロックの部分は、ＨＳＳを位置付けて、溶接を容易にするための特徴を有することができる。
【００８８】
記載された実施形態の特定の適応および変更を行うことができる。したがって、上述した実施形態は例示的なものであり、限定的ではないと考えられる。
【００８９】
【表１】
2020505537.tif 000003
【図１】
2020505537.tif 000004
【図２】
2020505537.tif 000005
【図３】
2020505537.tif 000006
【図４】
2020505537.tif 000007
【図５】
2020505537.tif 000008
【図６】
2020505537.tif 000009
【図７】
2020505537.tif 000010
【図８】
2020505537.tif 000011
【図９】
2020505537.tif 000012
【図１０】
2020505537.tif 000013
【図１１】
2020505537.tif 000014
【図１２】
2020505537.tif 000015
【図１３】
2020505537.tif 000016
【図１４】
2020505537.tif 000017
【図１５】
2020505537.tif 000018
【図１６】
2020505537.tif 000019
【図１７】
2020505537.tif 000020
【図１８】
2020505537.tif 000021
【図１９】
2020505537.tif 000022
【図２０】
2020505537.tif 000023
【国際調査報告】
2020505537.tif 000024
2020505537.tif 000025
2020505537.tif 000026